(57)【要約】【課題】浴槽水位低下時の浴槽水排水誤判定による洗浄機能の誤動作を防止し、浴槽水の循環経路を常に清浄に保ち、使用者によるメンテナンスを不要とする浴槽給湯機能付き給湯機を得ること。【解決手段】検出した水位に基づいて、単位低下水位量当たりの水位低下時間または水位低下速度を検出する検出手段と、検出手段によって得られた検出値が、第１の基準値とこの第１の基準値より大きい第２の基準値との範囲内に含まれるときに、浴槽水排水と判定する判定手段とを備える。【選択図】図１
2011064342.tif 000002
【特許請求の範囲】
【請求項１】
熱源器で沸き上げられた湯を貯湯タンクに貯留し、該貯湯タンク内の湯を浴槽に供給する浴槽給湯機能付き給湯機であって、
前記貯湯タンクの湯が供給される配管を一次側とし、前記浴槽の湯が循環される循環配管を二次側とする熱交換を行って浴槽の湯を追い焚きする追い焚き機能部と、
浴槽栓が排水状態にある浴槽水排水を検出する浴槽水排水検出手段と、
前記浴槽水排水検出手段により浴槽水排水が検出されたときに、前記追い焚き機能部の二次側の配管を微小泡によって洗浄する洗浄機能部と、
を備え、
前記浴槽水排水検出手段は、
浴槽の水位を検出する水位検出手段と、
前記水位検出手段によって検出した水位に基づいて、単位低下水位量当たりの水位低下時間または水位低下速度を検出する検出手段と、
前記検出手段によって得られた検出値が、第１の基準値とこの第１の基準値より大きい第２の基準値との範囲内に含まれるときに、浴槽水排水と判定する判定手段と、
を備えることを特徴とする浴槽給湯機能付き給湯機。
【請求項２】
前記検出手段は、浴槽水位が一定量減少する毎に、前記検出を行い、
前記判定手段は、浴槽水位が一定量減少する毎に、前記判定を行い、浴槽水排水と複数回判定したときに、浴槽水排水と判定することを特徴とする請求項１に記載の浴槽給湯機能付き給湯機。
【請求項３】
前記洗浄機能部は、浴槽水減少時、前記判定手段によって浴槽水排水と判定されなかった場合、次回に前記判定手段によって浴槽水排水と判定されることで実行される洗浄動作時に、前記循環配管を介して浴槽に注水する注水量を通常より増加させることを特徴とする請求項１または２に記載の浴槽給湯機能付き給湯機。
【請求項４】
前記検出手段は、単位低下水位量当たりの水位低下時間を検出し、
前記判定手段は、単位低下水位量当たりの水位低下時間が第１の基準値よりも小さいときに、入浴者の出浴等により急激に浴槽水の水位が低下したと判断し、単位低下水位量当たりの水位低下時間が第２の基準値よりも大きいときに、入浴者の継続的な浴槽水の掻い出しや洗濯機への風呂水送水ポンプによる風呂水送水による水位低下と判断することを特徴とする請求項１〜３の何れか一つに記載の浴槽給湯機能付き給湯機。
【請求項５】
前記検出手段は、水位低下速度を検出し、
前記判定手段は、水位低下速度が第１の基準値よりも小さいときに、入浴者の継続的な浴槽水の掻い出しや洗濯機への風呂水送水ポンプによる風呂水送水による水位低下と判断し、水位低下速度が第２の基準値よりも大きいときに、入浴者の出浴等により急激に浴槽水の水位が低下したと判断することを特徴とする請求項１〜３の何れか一つに記載の浴槽給湯機能付き給湯機。
【発明の詳細な説明】
【技術分野】
【０００１】
本発明は、熱源器で沸き上げられた湯を貯湯タンクに貯留し、貯湯タンク内の湯を浴槽に供給する浴槽給湯機能付き給湯機に関する。
【背景技術】
【０００２】
特許文献１では、浴槽水位の低下速度が基準値よりも遅い場合に、浴槽の排水栓が排水状態であると判別し、排水栓が排水状態のときに給湯経路および循環経路を通して注水を行い、配管内の汚れを洗い流している。
【先行技術文献】
【特許文献】
【０００３】
【特許文献１】特開平７−６３４２５号公報
【発明の概要】
【発明が解決しようとする課題】
【０００４】
しかしながら、特許文献１に示された技術では、入浴者が浴槽から出る出浴の際の急激な水位低下を浴槽水排水と誤判定することは防止可能であるが、入浴者の継続的な浴槽水の掻い出しや、風呂水送水ポンプによる洗濯機への送水により、緩やかに浴槽水位が低下した場合には、浴槽水排水と誤判定して洗浄機能が動作し、洗浄給湯のための注水により配管内の汚れが浴槽に流れ込み、皮脂汚れ等が浴槽内に溜る、あるいは湯水が浴槽から溢れる、という問題があった。
【０００５】
本発明は、上記に鑑みてなされたものであって、浴槽水位低下時の誤判定による洗浄機能の誤動作を防止し、且つ、風呂水の循環経路を常に清浄に保ち、使用者によるメンテナンスが不要である浴槽給湯機能付き給湯機を得ることを目的とする。
【課題を解決するための手段】
【０００６】
上述した課題を解決し、目的を達成するために、本発明は、熱源器で沸き上げられた湯を貯湯タンクに貯留し、貯湯タンク内の湯を浴槽に供給する浴槽給湯機能付き給湯機であって、貯湯タンクの湯が供給される配管を一次側とし、浴槽の湯が循環される循環配管を二次側とする熱交換を行って浴槽の湯を追い焚きする追い焚き機能部と、浴槽栓が排水状態にある浴槽水排水を検出する浴槽水排水検出手段と、浴槽水排水検出手段により浴槽水排水が検出されたときに、追い焚き機能部の二次側の配管を微小泡によって洗浄する洗浄機能部とを備え、浴槽水排水検出手段は、浴槽の水位を検出する水位検出手段と、水位検出手段によって検出した水位に基づいて、単位低下水位量当たりの水位低下時間または水位低下速度を検出する検出手段と、検出手段によって得られた検出値が、第１の基準値とこの第１の基準値より大きい第２の基準値との範囲内に含まれるときに、浴槽水排水と判定する判定検出手段とを備えるものである。
【発明の効果】
【０００７】
この発明によれば、入浴者の継続的な浴槽水の掻い出しや、風呂水送水ポンプによる洗濯機への送水を浴槽水排水と誤判定して洗浄機能が動作することが無くなり、洗浄給湯のための注水により配管内の汚れが浴槽に流れ込み、皮脂汚れ等が浴槽内に溜る、あるいは湯水が浴槽から溢れることなどが防止され、風呂水の循環経路を常に清浄に保ち、使用者によるメンテナンスが不要となる。
【図面の簡単な説明】
【０００８】
【図１】実施の形態にかかる浴槽給湯機能付き給湯機の一構成例を示す図である。
【図２】実施の形態にかかる浴槽給湯機能付き給湯機の制御ブロックの一例を示す図である。
【図３】実施の形態にかかる浴槽給湯機能付き給湯機の浴槽排水判定処理の手順の一例を示すフローチャートである。
【図４】実施の形態にかかる浴槽給湯機能付き給湯機の洗浄機能動作の手順の一例を示すフローチャートである。
【発明を実施するための形態】
【０００９】
以下に、本発明にかかる浴槽給湯機能付き給湯機の実施の形態を図面に基づいて詳細に説明する。なお、この実施の形態によりこの発明が限定されるものではない。
【００１０】
実施の形態
図１は、実施の形態にかかる浴槽給湯機能付き給湯機の一構成例を示す図である。また、図２は、実施の形態にかかる浴槽給湯機能付き給湯機の制御ブロックの一例を示す図である。実施の形態にかかる浴槽給湯機能付き給湯機は、ヒートポンプユニット１およびタンクユニット２を備えている。
【００１１】
ヒートポンプユニット１は、圧縮機３と、放熱器４と、膨張弁５と、蒸発器６と、これらを環状に接続する配管７とによって構成され、ヒートポンプユニットケース８内に収められている。このヒートポンプユニット１は、例えば自然冷媒である二酸化炭素が冷媒として用いられ、高圧側では臨界圧を越える状態で運転することが好ましい。
【００１２】
タンクユニット２は、貯湯タンク１０、風呂追いだき用のプレート式熱交換器１１、給湯配管５０、循環配管６０、制御部４５、などを備え、これらがタンクユニットケース９内に収められている。貯湯タンク１０としては、湯水の温度層ごとに分離して蓄えられる積層式貯湯タンクが使用され、上部に高温水が蓄えられ、下部に低温水が蓄えられる。
【００１３】
プレート式熱交換器１１としては、複数の伝熱プレートを積層したものが縦置きで使用される。プレート式熱交換器１１には、上部にタンク側入口１１１および風呂側出口１１４が設けられており、下部にタンク側出口１１２および風呂側入口１１３が設けられている。上部のタンク側入口１１１から供給された温水は下部のタンク側出口１１２から排出され、下部の風呂側入口１１３から供給された浴槽水は上部の風呂側出口１１４から排出される。このプレート式熱交換器１１は、水−水熱交換器であり、上部のタンク側入口１１１から供給された温水と下部の風呂側入口１１３から供給された浴槽水との間で熱交換を行って浴槽水を加温する。
【００１４】
貯湯タンク１０には、上部に温水導出口１０１および温水導入口１０３が、下部に水導入口１０２および水導出口１０４が設けられている。貯湯タンク１０の上部の温水導出口１０１とプレート式熱交換器１１の上部のタンク側入口１１１との間が配管１２で繋がれ、プレート式熱交換器１１の下部のタンク側出口１１２と貯湯タンク１０の下部の水導入口１１０との間が配管１４で繋がれている。配管１４の途中には、タンク側送水ポンプ１３が設けられている。タンク側送水ポンプ１３により貯湯タンク１０の上部の温水導出口１０１から配管１２を通ってプレート式熱交換器１１の上部のタンク側入口１１１に温水が供給され、プレート式熱交換器１１で熱交換後、プレート式熱交換器１１の下部のタンク側出口１１２から排出される。排出された水はタンク側送水ポンプ１３により配管１４を通って貯湯タンク１０の下部の水導入口１１０から貯湯タンク１０内に戻される。配管１２、プレート式熱交換器１１、タンク側送水ポンプ１３および配管１４によりプレート式熱交換器１１の一次側送水回路が形成される。
【００１５】
プレート式熱交換器１１の下部の風呂側入口１１３と浴槽１５の浴槽アダプタ３４との間は、浴槽戻り配管１７で繋がれ、プレート式熱交換器１１の上部の風呂側出口１１４との間は、浴槽往き配管１８で繋がれている。浴槽戻り配管１７、浴槽往き配管１８などで循環配管６０を構成する。浴槽往き配管１８の途中には、風呂側送水ポンプ１６、浴槽水位を検知する水位検出手段（例えば水位センサ３９）、風呂側送水ポンプ１６にて浴槽水を送水した際に水流有無を検出する水流検出手段（例えばフロースイッチ４７）、および循環用微小泡発生装置２８が設けられている。風呂側送水ポンプ１６により浴槽１５からの湯水（以下、「浴槽水」という）が浴槽戻り配管１７を通ってプレート式熱交換器１１の下部の風呂側入口１１３に供給され、プレート式熱交換器１１で熱交換されて加温される。その後、プレート式熱交換器１１の上部の風呂側出口１１４から排出された浴槽水は、浴槽往き配管１８と浴槽アダプタ３４を通って浴槽１５内に戻される。浴槽戻り配管１７、風呂側送水ポンプ１６、プレート式熱交換器１１および浴槽往き配管１８によりプレート式熱交換器１１の二次側送水回路が形成される。
【００１６】
また、貯湯タンク１０の下部の水導出口１０４と、沸き上げ用送水ポンプ１９と、ヒートポンプユニット１の放熱器４との間は、配管２０で繋がれ、放熱器４と貯湯タンク１０の温水導入口１０３との間は、配管２１で繋がれている。貯湯タンク１０の下部の水導出口１０４からの水は、沸き上げ用送水ポンプ１９により配管２０を通ってヒートポンプユニット１の放熱器４に供給され、放熱器４で加熱された後、配管２１を通って貯湯タンク１０の上部の温水導入口１０３から貯湯タンク１０内に戻される。沸き上げ用送水ポンプ１９、配管２０、放熱器４および配管２１により貯湯回路が形成される。
【００１７】
風呂給湯用混合弁２３は、例えば電動式の混合弁であり、貯湯タンク１０の温水と減圧弁２５により減圧された市水とを混合し、使用者が所望する湯温に調整して、注水配管２６、浴槽戻り配管１７および浴槽往き配管１８を介して浴槽１５に注水する。注水配管２６には、風呂給湯用混合弁２３にて湯温を調整した湯水の流量を調整する注水流量調整手段（例えば注水電磁弁４４）、流量検出手段（例えば流量センサ４０）、注水用微小泡発生装置３１が設けられている。また、給湯用混合弁２４は、例えば電動式の混合弁であり、貯湯タンク１０の温水と減圧弁２５により減圧された市水とを混合し、使用者が所望する湯温に調整して、給湯口２７へ供給する。
【００１８】
リモートコントローラ４６は、情報や指令の入力に用いられる操作部４６１を有しており、制御部４５に有線接続または無線接続されて、制御部４５に対する入力装置として機能する。
【００１９】
制御部４５は、図２に示すように、使用者がリモートコントローラ４６の操作部４６１を操作することにより入力された沸上げ開始時刻、沸上げ温度、湯張り湯量、および給湯温度等の操作情報、ならびに水位センサ３９、流量センサ４０、およびフロースイッチ４７等の各センサの検知結果に基づいて、ヒートポンプユニット１、沸き上げ用送水ポンプ１９、タンク側送水ポンプ１３、風呂側送水ポンプ１６、循環用微小泡発生装置２８、注水用微小泡発生装置３１、風呂給湯用混合弁２３、給湯用混合弁２４および注水電磁弁４４の動作を制御する。
【００２０】
つぎに、上記のように構成された浴槽給湯機能付き給湯機の概略動作について、図１および図２を参照して説明する。
【００２１】
まず、貯湯タンク１０内の水の加熱動作について説明する。制御部４５から貯湯運転信号が出力されると、ヒートポンプユニット１が運転され、冷媒は、圧縮機３で圧縮され高温高圧となり、放熱器４で冷却され、膨張弁５により減圧され、蒸発器６により大気から吸熱して蒸発し、圧縮機３に戻る。一方、貯湯タンク１０内の水は、貯湯タンク１０の下部の水導出口１０４から沸き上げ用送水ポンプ１９により配管２０を通って放熱器４に供給され、供給された水は、放熱器４で加熱される。そして、加熱され高温となった温水は、貯湯タンク１０の上部の温水導入口１０３から流入する。したがって、高温水が、貯湯タンク１０の上部から順次貯湯される。
【００２２】
つぎに、風呂追いだきについて説明する。タンクユニット２のタンク側送水回路、すなわちプレート式熱交換器１１の一次側送水回路において、貯湯タンク１０内の上部の高温水は、温水導出口１０１から出湯され、配管１２を介してプレート式熱交換器１１の上部のタンク側入口１１１から供給され、プレート式熱交換器１１を通って下部のタンク側出口１１２から配管１３を介して水導入口１０２から貯湯タンク１０内の下部に流入される。なお、この送水動作はタンク側送水ポンプ１３により行われる。
【００２３】
風呂側送水回路、すなわちプレート式熱交換器１１の二次側送水回路において、浴槽１５からの水が浴槽戻り配管１７を介してプレート式熱交換器１１に下部の風呂側入口１１３から供給され、プレート式熱交換器１１を通って上部の風呂側出口１１４から浴槽往き配管１８を通って浴槽１５に戻される。なお、この送水動作は風呂側送水ポンプ１６により行われる。
【００２４】
つぎに、湯張りについて説明する。使用者がリモートコントローラ４６で浴槽１５への湯張りを指示すると、注水電磁弁４４が開き、注水配管２６から浴槽往き配管１８、浴槽戻り配管１７を通して浴槽１５へ注水される。湯張り量は、水位センサ３９と流量センサ４０とによって調整される。目標の湯張り量に到達すると注水電磁弁４４が閉じ、湯張り完了水位にて湯張りが完了する。
【００２５】
つぎに、浴槽水排水が行われた場合の動作について説明する。使用者が浴槽水排水を行い、浴槽１５の水位があらかじめ決められた所定の基準水位以下に低下すると、制御部４５は、水位センサ３９の水位検出情報などに基づいて、浴槽水排水状態であるか否かを判定する。浴槽水排水状態であると判定された場合、制御部４５は、循環洗浄を実施する。循環洗浄では、制御部４５は、風呂側送水ポンプ１６を動作させて浴槽水を、浴槽１５、浴槽戻り配管１７、および浴槽往き配管１８に循環させる。また、制御部４５は、浴槽水を循環させる際に、循環用微小泡発生装置２８を動作させ、浴槽往き配管１８中に流れる浴槽水中に微小泡を生じさせる。微小泡が生じた浴槽水は、浴槽往き配管１８を流れて浴槽１５に至る。その結果として、浴槽往き配管１８は、微小泡が生じた浴槽水により洗浄され、内部に付着し堆積していた汚れが除去される。
【００２６】
また、制御部４５は、風呂側送水ポンプ１６の動作時間をカウントし、循環洗浄を実施する最大時間（例えば６０秒）を経過するか、もしくは浴槽１５の水位が浴槽アダプタ３４の位置を下回り、フロースイッチ４７にて循環配管６０内の水流無しを検知したときに、風呂側送水ポンプ１６および循環用微小泡発生装置２８、ならびに風呂側送水ポンプ１６の動作時間カウントを停止し、カウントした動作時間を循環洗浄時間として記憶するとともに、風呂側送水ポンプ１６、循環用微小泡発生装置２８を停止する。
【００２７】
風呂送水ポンプ１６停止後、制御部４５は、注水洗浄を実施する。注水洗浄において、制御部４５は、注水電磁弁４４を開き、混合弁２３により水もしくは使用者が所望する湯温に調整された湯水の注水を開始する。また、制御部４５は、湯水を注水させる際に、注水用微小泡発生装置３１を動作させ、循環用微小泡発生装置２８、プレート式熱交換器１１、浴槽戻り配管１７、水位センサ３９、フロースイッチ４７、風呂側送水ポンプ１６、浴槽往き配管１８中に流れる湯水中に微小泡を生じさせる。微小泡が生じた湯水は、循環用微小泡発生装置２８、プレート式熱交換器１１、浴槽戻り配管１７、水位センサ３９、フロースイッチ４７、風呂側送水ポンプ１６、および浴槽往き配管１８を流れて浴槽１５に至る。その結果として、循環用微小泡発生装置２８、プレート式熱交換器１１、浴槽戻り配管１７、水位センサ３９、フロースイッチ４７、風呂側送水ポンプ１６、および浴槽往き配管１８は、上記微小泡が生じた湯水により洗浄され、これらの内部に付着し、堆積していた汚れが除去される。
【００２８】
また、制御部４５は、注水洗浄時に湯水を注水した際、流量センサ４０が検知した流量があらかじめ決められた規定値に達すると、注水電磁弁４４の動作を停止させる。
【００２９】
つぎに、実施の形態にかかる浴槽給湯機能付き給湯機の浴槽排水判定処理の手順について、図３を参照して説明する。図３は、実施の形態にかかる浴槽給湯機能付き給湯機の浴槽水排水判定処理の手順の一例を示すフローチャートである。この実施の形態では、入浴者の継続的な浴槽水の掻い出しや、洗濯機への風呂水送水ポンプによる風呂水送水による水位低下が、浴槽水の真の排水による水位低下よりも水位低下速度が遅いことに着目し、入浴者の継続的な浴槽水の掻い出しや、洗濯機への風呂水送水ポンプによる風呂水送水による水位低下の場合を除外して浴槽水の真の排水時を検出している。
【００３０】
水位センサ３９は、浴槽水の水位を検出して、水位検出情報（図２参照）として制御部４５に伝達している。制御部４５は、水位があらかじめ決められた所定の基準水位以下に低下すると浴槽排水判定処理を開始し、制御部４５内の排水検知カウンタ９０を０に初期化する（ステップＳ１０１）。続いて、制御部４５は、水位センサ３９の出力を取込み、取り込んだ水位を初期水位Ｈ０として記憶する（ステップＳ１０２）。さらに、制御部４５は、制御部４５内の水位低下タイマー１００を作動させ、水位低下タイマー１００を初期化（Ｔ＝０）して、初期水位Ｈ０の取得時点から１ｃｍの水位低下を水位センサ３９の出力から検出するまでの経過時間Ｔのカウントを開始する（ステップＳ１０３）。
【００３１】
制御部４５は、初期水位Ｈ０を取得してから一定時間ｔの経過後に、水位センサ３９の出力を取得し、取得した水位を比較水位Ｈ１として記憶する（ステップＳ１０４）。
【００３２】
制御部４５は、ステップＳ１０３において記憶した初期水位Ｈ０とステップＳ１０３において記憶した比較水位Ｈ１との差分を演算し、この差分があらかじめ決められた所定の低下水位量（例えば１ｃｍ）以上であるか否かを判定する（ステップＳ１０５）。
【００３３】
所定時間間隔ｔにおける初期水位Ｈ０と比較水位Ｈ１との差分があらかじめ決められた所定の低下水位（例えば１ｃｍ）未満であった場合（ステップＳ１０５：Ｎｏ）、制御部４５は、水位低下タイマー１００が、初期水位Ｈ０の取得時点から１ｃｍの水位低下を検出するまでの経過時間Ｔをカウントするまで、待機する。制御部４５は、水位低下タイマー１００が経過時間Ｔのカウントを終了したら、水位低下タイマー１００のカウント値Ｔをあらかじめ決められた所定の時間（例えば１５秒）と比較し、カウント値Ｔが所定の時間（例えば１５秒）以上であるか否かを判定する（ステップＳ１０６）。経過時間Ｔが１５秒未満であれば（ステップＳ１０６：Ｎｏ）、ステップＳ１０４に戻る。
【００３４】
水位低下タイマー１００による経過時間Ｔが１５秒以上であった場合（ステップＳ１０６：Ｙｅｓ）、浴槽水の排水による水位低下ではないと判断し、ステップＳ１０１に戻る。この処理により、入浴者の継続的な浴槽水の掻い出しや、洗濯機への風呂水送水ポンプによる風呂水送水により、浴槽の水位が緩やかに低下した場合に、浴槽水排水状態であると誤検知することを防止する。また、この処理は、本給湯機の浴槽への注水手段以外からの外部注水による浴槽水位上昇の際の初期水位Ｈ０の初期化を実施するといった目的も有する。また、ステップＳ１０６の判定がＮｏの場合に、ステップＳ１０４に手順を移行させたのは、ステップＳ１０６の判定がＮｏの場合は、その原因が浴槽水の真の排水でないと判断し、水位低下タイマーをリセットとする目的も有する。
【００３５】
一方、制御部４５は、初期水位Ｈ０と比較水位Ｈ１との差分があらかじめ決められた所定の低下水位量（例えば１ｃｍ）以上であった場合（ステップＳ１０５：Ｙｅｓ）、浴槽水の所定の低下水位量当たりの水位低下時間Ｔ１を次式（１）によって演算する（ステップＳ１０７）。
Ｔ１＝Ｔ／（Ｈ０−Ｈ１）      …（１）
【００３６】
続いて、制御部４５は、水位低下時間Ｔ１が理論計算または実験に基づいて予め決定した基準時間の範囲内（ここでは、２秒以上１５秒未満）であるか否かを判定する（ステップＳ１０８）。水位低下時間Ｔ１が基準時間の範囲外であった場合（ステップＳ１０８：Ｎｏ）、浴槽水排水状態ではないと判断し、ステップＳ１０１に戻る。すなわち、水位低下時間Ｔ１が２秒未満であった場合は、入浴者の出浴等により、急激に浴槽水の水位が低下したと判断し、浴槽水排水状態であると判定しない。また、水位低下時間Ｔ１が１５秒以上であった場合は、入浴者の継続的な浴槽水の掻い出しや、洗濯機への風呂水送水ポンプによる風呂水送水により、浴槽水の水位が緩やかに低下したと判断し、浴槽水排水状態であると判定しない。
【００３７】
水位低下時間Ｔ１が基準時間の範囲内であった場合（ステップＳ１０８：Ｙｅｓ）、制御部４５は、排水検知カウンタ９０を１加算する（ステップＳ１０９）。この排水検知カウンタ９０により、継続的な水位低下であるか否かを監視する。
【００３８】
続いて、排水検知カウンタが３以上であるか否かを判定する（ステップＳ１１０）。排水検知カンウタが３未満であった場合は（ステップＳ１１０：Ｎｏ）、手順をステップＳ１０２に復帰させ、上述した処理を排水検知カンウタが３以上となるまで繰返す。
【００３９】
排水検知カウンタが３以上であった場合（ステップＳ１１０：Ｙｅｓ）、基準時間の範囲内（ここでは、２秒以上１５秒未満）での浴槽水の水位低下を継続的に検知したとして、浴槽水排水状態であると判定し（ステップＳ１１１）、浴槽水排水判定処理を終了する。
【００４０】
なお、上記では、１ｃｍ当たりの水位低下時間を浴槽水の水位低下判定の尺度としたが、水位低下速度を演算し、水位低下速度を浴槽の水位低下判定の尺度としても良い。水位低下速度を水位低下判定の尺度とした場合は、水位低下速度が第１の基準値（ステップＳ１０８の１５ｓｅｃに対応）とこの第１の基準値より大きい第２の基準値（ステップＳ１０８の２ｓｅｃに対応）との範囲内に含まれるときに、浴槽水排水と判定し、水位低下速度が第１の基準値よりも小さいときに、入浴者の継続的な浴槽水の掻い出しや洗濯機への風呂水送水ポンプによる風呂水送水による水位低下と判断し、水位低下速度が第２の基準値よりも大きいときに、入浴者の出浴等により急激に浴槽水の水位が低下したと判断することになる。
【００４１】
このようにこの実施の形態では、入浴者の継続的な浴槽水の掻い出しや、洗濯機への風呂水送水ポンプによる風呂水送水による水位低下が、浴槽水の排水による水位低下よりも水位低下速度が遅いと想定し、入浴者の継続的な浴槽水の掻い出しや、洗濯機への風呂水送水ポンプによる風呂水送水による水位低下の場合を除外して浴槽水の真の排水時を検出している。
【００４２】
つぎに、実施の形態にかかる浴槽給湯機能付き給湯機の洗浄機能動作の手順について、図４を参照して説明する。図４は、実施の形態にかかる浴槽給湯機能付き給湯機の洗浄機能動作の手順の一例を示すフローチャートである。
【００４３】
先の図３に示した処理により、浴槽水排水と判定された場合、図４に示す洗浄機能動作が実行される。制御部４５は、水位センサ３９から水位を取得し、取得した水位を現在水位として記憶する（ステップＳ２０１）。また、制御部４５は、洗浄動作の開始条件とする洗浄開始水位Ｈｍｂを決定する。なお、洗浄開始水位Ｈｍｂは、あらかじめ制御部４５に記憶させておいた値でもよいし、注水湯張り完了水位を用いた演算によって求めた相対値（例えば、注水湯張り完了水位−１０ｃｍ）でもよい。
【００４４】
続いて、制御部４５は、記憶した現在水位を洗浄開始水位Ｈｍｂと比較する（ステップＳ２０２）。現在水位が洗浄開始水位Ｈｍｂ以下ならば（ステップＳ２０２：Ｙｅｓ）、次ステップＳ２０３へ進み洗浄動作を開始する。現在水位が洗浄開始水位Ｈｍｂ以上ならば（ステップＳ２０２：Ｎｏ）、図３のフローチャートのステップＳ１０１へ戻り、浴槽水排水判定処理を実施する。すなわち、使用者が浴槽１５から水を抜き、水位が下がって現在水位が洗浄開始水位Ｈｍｂ以下となるまで、ステップＳ２０１〜ステップＳ２０２を繰り返し、浴槽水排水判定処理（図３参照）を実施する。
【００４５】
洗浄動作を開始すると、制御部４５は、風呂側送水ポンプ１６のＯＮ信号を出力し、風呂側送水ポンプ１６を駆動させ（ステップＳ２０３）、浴槽１５、浴槽戻り配管１７、浴槽往き配管１８の水を循環させる。また、制御部４５は、風呂側送水ポンプ１６の駆動と同時に、風呂側送水ポンプ１６の動作時間のカウントを開始する。
【００４６】
続いて、制御部４５は、循環用微小泡発生装置２８のＯＮ信号を出力し、循環用微小泡発生装置２８を動作させる（ステップＳ２０４）。この処理により、微小泡が発生して水と共に循環し、前述の循環洗浄効果が得られる。また、制御部４５は、循環用微小泡発生装置２８のＯＮ信号を出力してからの動作時間（以下、「循環洗浄時間」という）をカウントする。
【００４７】
制御部４５は、循環洗浄時間があらかじめ制御部４５に記憶されている循環最大時間（以下、「バブル循環時間Ｔｂｃ」という。ここでは、例えば６０秒）が経過したか否かを判定する（ステップＳ２０５）。循環洗浄時間がバブル循環時間Ｔｂｃ以上ならば（ステップＳ２０５：Ｙｅｓ）、ステップＳ２０７へ進む。循環洗浄時間がバブル循環時間Ｔｂｃ以下ならば（ステップＳ２０５：Ｎｏ）、フロースイッチ４７で検出した水流の有無の信号から浴槽１５内の水有無を判断する（ステップＳ２０６）。浴槽１５内に浴槽水がなければ（ステップＳ２０６：Ｙｅｓ）、ステップＳ２０７へ進む。浴槽１５内に浴槽水がある場合には（ステップＳ２０６：Ｎｏ）、ステップＳ２０５に戻り、ステップＳ２０５〜ステップＳ２０６の判定を繰り返す。このステップＳ２０５〜ステップＳ２０６において、循環洗浄動作の終了条件を判定する。すなわち、循環洗浄時間がバブル循環時間Ｔｂｃを経過したか、あるいは浴槽１５内に浴槽水が無くなったことを、循環洗浄動作の終了条件とする。
【００４８】
洗浄動作の終了条件を満たすと、制御部４５は、循環用微小泡発生装置２８のＯＦＦ信号を出力し（ステップＳ２０７）、続いて風呂側送水ポンプ１６のＯＦＦ信号を出力すると同時に、風呂側送水ポンプ１６の動作時間カウントを停止して循環洗浄時間を記憶し（ステップＳ２０８）、循環洗浄動作を停止させる。この処理により、循環洗浄が終了する。
【００４９】
循環洗浄が終了すると、注水洗浄動作に移行する。制御部４５は、注水電磁弁４４のＯＮ信号を出力して注水電磁弁４４を開き（ステップＳ２０９）、浴槽戻り配管１７と浴槽往き配管１８の双方から浴槽１５に向かって水を注水する。
【００５０】
続いて、制御部４５は、注水用微小泡発生装置３１のＯＮ信号を出力して注水用微小泡発生装置３１を動作させる（ステップＳ２１０）。この処理により、微小泡が発生して水と共に配管を流れ、前述の注水洗浄効果が得られる。このとき、流量センサ４０は、配管２６を流れる注水量を検出して、流量検出情報として制御部４５に伝達し、制御部４５は、注水用微小泡発生装置２８のＯＮ信号を出力してからの注水量を洗浄注水量としてカウントする。
【００５１】
制御部４５は、洗浄注水量があらかじめ制御部４５に記憶されている注水量（以下、「バブル注水量Ｖｂｓ」という）を超過したか否かを判定する（ステップＳ２１１）。洗浄注水量がバブル注水量Ｖｂｓ以上ならば（ステップＳ２１１：Ｙｅｓ）、ステップＳ２１２へ進む。洗浄注水量がバブル注水量Ｖｂｓ以下ならば（ステップＳ２１１：Ｎｏ）、ステップＳ２１１の判定を繰り返す。このステップＳ２１１において、注水洗浄動作の終了条件を判定する。すなわち、洗浄注水量がバブル注水量Ｖｂｓを超過したことを、注水洗浄動作の終了条件とする。
【００５２】
ここで、バブル注水量Ｖｂｓは、前述の循環洗浄動作の洗浄効果も合わせて考え、上述したステップＳ２０５でカウントした循環洗浄時間が、例えば３０秒以上であれば、所定注水量（例えば１２Ｌ）を注水する。前回洗浄動作が実施されていなかった場合は、所定注水量を増加（例えば１２L＋５Ｌ）させる。ステップＳ２０５でカウントした循環洗浄時間が、例えば３０秒未満であれば、所定注水量（例えば１２Ｌ）と補正注水量（例えば３Ｌ）の合算値を合計注水量として注水する。なお、ここでは、注水量を注水洗浄終了条件の尺度としたが、注水用微小泡発生装置２８のＯＮ信号を出力してからの注水時間をカウントし、注水時間を注水洗浄終了条件の尺度としてもよい。
【００５３】
注水洗浄動作の終了条件を満たすと、制御部４５は、注水用微小泡発生装置３１のＯＦＦ信号を出力し（ステップＳ２１２）、続いて注水電磁弁４４のＯＦＦ信号を出力する。この処理により、注水洗浄が終了し、循環洗浄及び注水洗浄の終了により、洗浄動作が終了する。
【００５４】
以上のように、実施の形態の浴槽給湯機能付き給湯機によれば、浴槽水の排水による水位低下よりも水位低下速度が遅い、入浴者の継続的な浴槽水の掻い出しや、洗濯機への風呂水送水ポンプによる風呂水送水による水位低下の場合を除外して浴槽水の真の排水時を検出し、浴槽水の真の排水時が検出されたときに、微小泡を含んだ湯水による循環洗浄および注水洗浄を実施するようにしたので、入浴者の継続的な浴槽水の掻い出しや、風呂水送水ポンプによる洗濯機への送水を浴槽水排水と誤判定して洗浄機能が動作することが無くなり、洗浄給湯のための注水により配管内の汚れが浴槽に流れ込み、皮脂汚れ等が浴槽内に溜る、あるいは湯水が浴槽から溢れることなどが防止され、風呂水の循環経路を常に清浄に保ち、使用者によるメンテナンスが不要となる。
【００５５】
なお、以上の実施の形態に示した構成は、本発明の構成の一例であり、別の公知の技術と組み合わせることも可能であるし、本発明の要旨を逸脱しない範囲で、一部を省略する等、変更して構成することも可能であることは言うまでもない。
【符号の説明】
【００５６】
１      ヒートポンプユニット
２      タンクユニット
１０    貯湯タンク
１１    プレート式熱交換器
１２    配管
１３    タンク側送水ポンプ
１４    配管
１５    浴槽
１６    風呂側送水ポンプ
１７    浴槽戻り配管
１８    浴槽往き配管
１９    沸き上げ用送水ポンプ
２０    配管
２１    配管
２３    風呂給湯用混合弁
２６    注水配管
２８    循環用微小泡発生装置
３１    注水用微小泡発生装置
３９    水位センサ
４０    流量センサ
４４    注水電磁弁
４５    制御部
４７    フロースイッチ
【図１】
2011064342.tif 000003
【図２】
2011064342.tif 000004
【図３】
2011064342.tif 000005
【図４】
2011064342.tif 000006